【手続補正書】
【提出日】平成15年10月7日(2003.10.7)
【手続補正１】
【補正対象書類名】明細書
【補正対象項目名】特許請求の範囲
【補正方法】変更
【補正の内容】
【特許請求の範囲】
【請求項１】
２又は３つ以上の光学導波路を相互接続するための装置であって、
第１平面状ウェハのある端部から所定の第１焦点間隔だけ離れた第１焦点（Ｐｘ）に、第１導波路上の信号を選択的に集光する第１光学イメージングデバイスを有する第１平面状ウェハと、
前記第１ウェハの前記端部と交差して交差接合部を形成する当接端を有する第２ウェハ上に配置された第２導波路であって、前記第２平面状ウェハが、光学イメージングデバイスを有し、第２導波路上の信号を、前記第２ウェハの当接端から第２焦点間隔だけ離れた第２焦点に選択的に結合し、前記第１と第２のウェハの焦点間隔（δｘ、δｙ）が、互いに交差しているような第２導波路と、
前記第１と第２の光学イメージングデバイスは、制御信号に応答して、それぞれ、焦点を交差接合部に会わせて、第１光学導波路から第２光学導波路への信号の伝送結合を最大にするようになっていることを特徴とする装置。
【請求項２】
制御信号のもとで、前記第１光学イメージングデバイスと第２光学イメージングデバイスは、前記第１光学導波路と第２光学導波路との間で信号の伝送結合を低下させるスイッチデバイスとして機能する請求項１記載の装置。
【請求項３】
少なくとも１つの光学イメージングデバイスは、信号スプリッタと、イメージングデバイスと、前記信号スプリッタをイメージングデバイスに接続する導波路アレイとを有し、
前記導波路アレイを構成する導波路の内の１本を除いて全ての導波路は、導波路長さ調節器を有し、
制御信号に応答して、前記各導波路長さ調節器は、イメージングデバイスの焦点位置を変化させるために、導波路の長さを変えるようになっている請求項１記載の装置。
【請求項４】
少なくとも１つの光学イメージングデバイスが２つの導波路を含んでいる請求項３記載の装置。
【請求項５】
少なくとも１つの光学イメージングデバイスが３つの導波路を含んでいる請求項３記載の装置。
【請求項６】
前記第２ウェハに当接する第１平面状ウェハ群であって、前記第１平面状ウェハ群の各当接端は、第２ウェハの端部に当接して複数の接合点を形成し、
前記各第１平面状ウェハは、光学導波路からの信号を、前記第１平面状ウェハの当接端から第１焦点間隔離れた焦点に選択的に結合する第１の光学イメージングデバイスを含み、前記焦点間隔は、第２ウェハに形成された前記接合点の１つを含むよう配置され、前記第２ウェハは、複数の第２光学イメージングデバイスを有し、各第２光学イメージングデバイスは、第２ウェハ上の光学導波路を所定の間隔に沿って配置された焦点に選択的に結合し、前記焦点間隔は、前記第１ウェハの１つとの接合点を含むよう第２ウェハの当接端に配置され、各第１光学イメージングデバイスは、第２ウェハの特定の第２光学イメージングデバイスと共に対を形成し、
前記一対の光学イメージングデバイスは、それぞれ制御信号に応答して、それぞれの焦点を整合し、第１光学イメージングデバイスから第２光学イメージングデバイスへの光学信号の伝送結合を増加させるようになっている請求項１記載の装置。
【請求項７】
前記各対の光学イメージングデバイスは、交差接合だけオーバラップして、デバイス内を意図した信号が流れないときには、クロストークを低減するスイッチデバイスとして機能することを特徴とする請求項６記載の装置。
【請求項８】
少なくとも１つの光学イメージングデバイスが、信号スプリッタ、イメージングデバイス、および前記スプリッタを前記イメージングデバイスに接続する導波路のアレイを含み、前記導波路の可能な１つ以外のすべてが各々導波路長調整器を含み、制御信号に応答して各導波路長調整器がその長さを前記光学イメージングデバイスの低位置に変化させるようになっている請求項６記載の装置。
【請求項９】
複数の第２ウェハからなる第２ウェハ群に当接する第１平面状ウェハ群をさらに有し、前記第１平面状ウェハ群の各当接端は、各第２ウェハ群の端部に当接して複数の接合点を形成し、
前記各第１平面状ウェハは、光学導波路からの信号を、前記第１平面状ウェハの当接端から第１焦点間隔離れた焦点に選択的に結合し、前記焦点間隔は、各第２ウェハに形成された前記接合点の１つを含むよう配置され、
前記各第２ウェハは、少なくとも１つの第２光学イメージングデバイスを有し、前記各第２光学イメージングデバイスは、焦点間隔だけ離れた焦点からの信号を選択的に結合し、前記焦点間隔は、前記第１ウェハの１つとの接合点を含むよう各第２ウェハの当接端に配置され、各第１平面状ウェハ上の光学イメージングデバイスは、前記第２ウェハ群の特定の第２光学イメージングデバイスと接合点で接続されて対を形成し、
前記一対の光学イメージングデバイスは、それぞれ制御信号に応答して、それぞれの焦点を整合し、第１光学イメージングデバイスから第２光学イメージングデバイスへの光学信号の伝送結合を可能にするようになっている請求項１記載の装置。
【請求項１０】
Ｎ×Ｎの光学クロスコネクト装置として構成され、
第１群の第１平面状ウェハと、
第２群の第２平面状ウェハと、
を有し、
前記第１平面状ウェハは、１×Ｎスイッチに接続された入力光学導波路を有し、
前記スイッチのＮ本の出力導波路のおのおのは、光学イメージングデバイスを有し、信号を第１平面状ウェハの当接端から所定間隔離れて位置している焦点に選択的に結合して、焦点ずれ間隔の第１アレイを形成し、それぞれが特定の第１平面状ウェハの特定の出力導波路に対応し、
前記各平面状ウェハは、出力光学導波路に接続されたＮ×１スイッチを有し、
前記スイッチのＮ本の入力導波路のおのおのは、光学イメージングデバイスを有し、光学導波路を、前記第２平面状ウェハの当接端から所定間隔離れて位置している入力焦点に選択的に結合し、これにより焦点ずれ間隔の第２アレイを形成し、それぞれが特定の第２ウェハの特定入力導波路に対応し、
前記第１と第２の平面状ウェハ群は、互いに直交して当接して、それらの間に交差接合部のグリッドを形成し、
前記第１アレイの各焦点ずれ間隔は、第２アレイの対応する焦点ずれ間隔を横切り、前記光学イメージングデバイスの対は、制御信号に応答して、それぞれの焦点を整合させて、第１光学イメージングデバイスから第２光学イメージングデバイスへ光学信号を結合するようになっている請求項１記載の装置。
【請求項１１】
光学導波路の相互接続装置を動作させる方法であって、
第１平面状ウェハの第１端を、第２平面状ウェハの第２端に当接するステップであって、前記第１平面状ウェハが、第１光学イメージングデバイスを有し、信号を第１ウェハの第１当接端から第１所定間隔だけ離れて配置された第１焦点に選択的に結合し、前記第２平面状ウェハが、第２光学イメージングデバイスを有し、信号を第２ウェハの第２当接端から第２の所定間隔だけ離れて配置された第２焦点に選択的に信号を結合し、前記第１ウェハの第１当接端の第１所定間隔とオーバーラップさせるようにするステップと、
前記第１光学イメージングデバイスと、第２光学イメージングデバイスとの間の光学信号の結合を可能とするように、第１焦点を第２焦点と整合させるよう、前記第１と第２の光学イメージングデバイスの少なくとも一方を選択的に動作させるステップとを含むことを特徴とする光学導波路の相互接続装置を動作する方法。